(57)【特許請求の範囲】
【請求項１】
冷媒を分流する中空密閉構造の分流器本体と、この分流器本体の一方側に一端が接続され他端が圧縮側に接続される冷媒配管に接続された１個の冷媒流入管と、この冷媒流入管に対向するように一端が前記分流器本体の他方側に接続され他端が前記冷凍サイクルの室外側熱交換器の並列回路に分岐された複数の冷媒管に各々接続された複数の冷媒流出管と、前記分流器本体の冷媒流出管接続側に一端が接続された冷媒封入用の冷媒封入管とを有することを特徴とする冷凍サイクルの冷媒分流器。
【請求項２】
上記冷媒封入管は、冷媒流入管の水平方向の中心線を含む垂直面内に位置して設けられ、上記冷媒流出管は、垂直面に対して対称になるように位置して設けられたことを特徴とする請求項１に記載の冷凍サイクルの冷媒分流器。
【発明の詳細な説明】
【０００１】
【発明の属する技術分野】
本発明は冷凍サイクルの冷媒分流器に係わり、特に冷媒を分流する分流器本体に冷媒封入管を設けた冷凍サイクルの冷媒分流器に関する。
【０００２】
【従来の技術】
一般に空気調和機に用いられる冷凍サイクル１０は、図４に示すように、圧縮機１１、四方弁１２、室内熱交換器１３、膨張弁１４、室外熱交換器１５、気液分離器１６を冷媒配管でループ状に接続して形成され、このループ内に冷媒を循環させることで、室内を冷暖房するようになっている。
【０００３】
また、室外熱交換器１５は複数の並列回路に流路が分岐されており、この冷媒入口部には、その分岐した冷媒管１５ａ、１５ｂに冷媒を流すように、各々、図４中Ａ部及びＢ部に示すような位置に冷媒分流器が設けられており、冷媒を並列に分岐して流すことにより室外熱交換器１５の熱交換率の向上を図っている。なお、図４中実線矢印は冷房運転時、点線矢印は暖房運転時の冷媒の流れを示す。
【０００４】
図５に示すように、従来の冷媒分流器２１は、冷媒を分流する分流器本体２２と、この本体２２の一方側に一端が接続され圧縮機側に接続される冷媒配管２３に接続された１個の冷媒流入管２４と、この流入管２４に対向するように一端が分流器本体２２の他方側に接続され他端が室外側熱交換器２５の並列回路に分岐された２本の冷媒管２６、２６に各々接続された２本の冷媒流出管２７ａ、２７ｂとで形成されている。また、冷媒流出管２７ａにはＴ字状管継手２８が接続され、その１箇所の接続口には冷媒封入用の冷媒封入管２９が接続されている。この冷媒封入管２９はＴ字状管継手２８を用いて冷媒流出管２７ａに接続されているため、部品点数が増加し、また、ろう付、配管加工等の工数が増加し空気調和機の製造コストが高くなる原因になっていた。
【０００５】
【発明が解決しようとする課題】
そこで、部品点数の低減、ろう付、配管加工等の工数の低減が図れ安価に空気調和機を製造できる冷凍サイクルの冷媒分流器が要望されていた。
【０００６】
本発明は上述した事情を考慮してなされたもので、部品点数の低減、ろう付、配管加工等の工数の低減が図れ、信頼性が向上するとともに、安価に空気調和機を製造できる冷凍サイクルの冷媒分流器を提供することを目的とする。
【０００７】
【課題を解決するための手段】
上記目的を達成するため、本発明の１つの態様によれば、冷媒を分流する中空密閉構造の分流器本体と、この分流器本体の一方側に一端が接続され他端が圧縮機側に接続される冷媒配管に接続された１個の冷媒流入管と、この冷媒流入管に対向するように一端が前記分流器本体の他方側に接続され他端が前記冷凍サイクルの室外側熱交換器の並列回路に分岐された複数の冷媒管に各々接続された複数の冷媒流出管と、前記分流器本体の冷媒流出管接続側に一端が接続された冷媒封入用の冷媒封入管とを有することを特徴とする冷凍サイクルの冷媒分流器が提供される。これにより、部品点数の低減、ろう付、配管加工等の工数の低減が図れ、信頼性が向上するとともに、安価な空気調和機が実現できる。
【０００８】
好適な一例では、上記冷媒封入管は、冷媒流入管の水平方向の中心線を含む垂直面内に位置して設けられ、上記冷媒流出管は、垂直面に対して対称になるように位置して設けられる。これにより、複数の冷媒流出管を経て複数の冷媒管に均等に冷媒を流すことができて、室外熱交換器の熱交換率の向上が図れる。
【０００９】
【発明の実施の形態】
以下、本発明に係わる実施形態について添付図面を参照して説明する。
【００１０】
図１は本発明に係わる冷凍サイクルの冷媒分流器を室外側熱交換器に取付けた状態を示す斜視図である。
【００１１】
図１に示すように、本発明に係わる冷凍サイクルの冷媒分流器１は、図４に示す一般的な空気調和機の冷凍サイクルにおいて、図４中Ａ部に示すような位置に取付けて用いられる。
【００１２】
この冷凍サイクルの冷媒分流器１は、冷媒を分流する金属製、例えば銅製で円筒密閉構造の分流器本体２と、この分流器本体２の下端面２ａに一端が接続され他端が圧縮機側に接続される冷媒配管３に接続された例えば銅製の１個の冷媒流入管４と、この冷媒流入管４に対向するように一端が分流器本体２の上面部２ｂに接続され他端が室外側熱交換器５の並列回路に分岐された複数、例えば２本の冷媒管６、６に各々接続された例えば銅製の２本の冷媒流出管７、７と、分流器本体２の上面部２ｂ、すなわち、冷媒流出管接続側に一端が接続された冷媒封入用の冷媒封入管８とを有している。
【００１３】
図２に示すように、この冷媒封入管８は、冷媒流入管４の水平方向の中心線ｃを含む垂直面ｓ内に位置するように冷媒封入管取付口８ａを介して取付けられ、また、冷媒流出管７、７は垂直面ｓに対して対称になるように位置して分流器本体２の上面部２ｂに冷媒流出管取付口７ａ、７ａを介して取付けられている。これにより、冷媒を２本の冷媒流出管７、７に均等に流すことができ、さらに、この２本の冷媒流出管７、７を経て２本の冷媒管６、６に均等に冷媒を流すことができて、室外熱交換器５の熱交換率の向上を図ることができる。
【００１４】
なお、図２に示す本実施形態では、冷媒封入管８を分流器本体２の上面部２ｂの冷媒流入管４側に取付けたが、図３に示すように、冷媒分流器１Ａは、冷媒封入管８Ａを分流器本体２Ａの上面部２Ａｂの反冷媒流入管４Ａ側に取付けても、同様の効果が期待できる。また、図４中Ｂ部に示すような位置には、冷媒封入管が一体に設けられていない冷媒分流器が用いられる。
【００１５】
次に本発明に係わる冷凍サイクルの冷媒分流器の製造方法について説明する。
【００１６】
図１に示すように、予め冷媒流入管４が接続された分流器本体２を用意し、冷媒流入管４を四方弁に連通する冷媒配管３にろう付した後、分流器本体２の上面部２ｂに設けられた冷媒流出管取付口７ａ、７ａに他端が室外側熱交換器５の並列回路に分岐された冷媒管６、６に接続された冷媒流出管７、７の一端を挿入し、さらに、冷媒封入管８の一端を冷媒封入管取付口８ａに挿入する。
【００１７】
しかる後、１ろう付工程で、同時に冷媒流出管７、７及び冷媒封入管８の３箇所のろう付を行う。
【００１８】
上記のように冷媒封入管８を冷媒流出管７、７と共に、分流器本体２に一体に取付けるので、３本の管を同時にろう付することができ、ろう付工数及び配管工数を低減できる。また、Ｔ字継手が不要となって部品点数の低減が図れ安価に空気調和機を製造できる。
【００１９】
【発明の効果】
本発明に係わる冷凍サイクルの冷媒分流器によれば、部品点数の低減、ろう付、配管加工等の工数の低減が図れ、信頼性が向上するとともに、安価に空気調和機を製造できる冷凍サイクルの冷媒分流器を提供することができる。
【図面の簡単な説明】
【図１】本発明に係わる冷凍サイクルの冷媒分流器を室外側熱交換器に取付けた状態を示す斜視図。
【図２】本発明に係わる冷凍サイクルの冷媒分流器の平面図。
【図３】本発明に係わる冷凍サイクルの冷媒分流器の変形例の平面図。
【図４】一般的な冷凍サイクルの概念図。
【図５】従来の冷凍サイクルの冷媒分流器を熱交換器に取付けた状態を示す斜視図。
【符号の説明】
１  冷凍サイクルの冷媒分流器
２  分流器本体
２ａ  下端面
２ｂ  上面部
３  冷媒配管
４  冷媒流入管
５  室外側熱交換器
６  冷媒管
７  冷媒流出管
７ａ  冷媒流出管取付口
８  冷媒封入管
８ａ  冷媒封入管取付口
ｃ  中心線
ｓ  垂直面
【図１】
0003927823.tif 000002
【図２】
0003927823.tif 000003
【図３】
0003927823.tif 000004
【図４】
0003927823.tif 000005
【図５】
0003927823.tif 000006